(57)【要約】【課題】水の計量に関する作業者の労力を軽減させることが可能な水計量装置を提供する。【解決手段】水の供給口及び排出口を有し、水を貯留可能に構成された貯水部と、貯水部に水を供給する給水手段と、貯水部の貯水量が所定の設定量に達したことを検知可能な検知手段と、排出口を開閉させる開閉手段とを備え、検知手段は、貯水部の貯水量が設定量に達している状態においてＯＦＦとなり、貯水量が設定量に達していない状態においてＯＮとなる水量検知スイッチを有し、開閉手段は、排出口を開放している状態においてＯＦＦとなり、排出口が閉塞されている状態においてＯＮとなる放水検知スイッチを有し、給水手段は、水量検知スイッチと放水検知スイッチとの双方がＯＮの間、貯水部に対して水を供給するよう構成されている。【選択図】図１
2019116801.tif 000002
【特許請求の範囲】
【請求項１】
水の供給口及び排出口を有し、水を貯留可能に構成された貯水部と、
前記貯水部に水を供給する給水手段と、
前記貯水部の貯水量が所定の設定量に達したことを検知可能な検知手段と、
前記排出口を開閉させる開閉手段と
を備え、
前記検知手段は、前記貯水部の貯水量が前記設定量に達している状態においてＯＦＦとなり、該貯水量が該設定量に達していない状態においてＯＮとなる水量検知スイッチを有し、
前記開閉手段は、前記排出口を開放している状態においてＯＦＦとなり、該排出口が閉塞されている状態においてＯＮとなる放水検知スイッチを有し、
前記給水手段は、前記水量検知スイッチと前記放水検知スイッチとの双方がＯＮの間、前記貯水部に対して水を供給するよう構成されている
ことを特徴とする水計量装置。
【請求項２】
前記検知手段は、前記貯水部に貯留された水の水位の昇降方向に沿って延びる軸部材と、該軸部材に設けられた浮き部材とを更に備え、
前記浮き部材は、前記水位の昇降に伴って、前記軸部材の軸方向に沿って昇降可能に構成されており、
前記水量検知スイッチは、前記浮き部材よりも前記軸部材の上端側において、該軸部材の軸方向に沿った位置を調整可能に設けられており、前記水位の上昇に伴う前記浮き部材の上昇により該浮き部材が当接している間、ＯＦＦとなるよう構成されている
ことを特徴とする請求項１に記載の水計量装置。
【請求項３】
前記検知手段は、前記軸部材を軸を中心として回転させるハンドル部材を更に備え、
前記軸部材は、少なくとも前記水量検知スイッチが設けられる領域にねじが形成されており、
前記水量検知スイッチは、前記軸部材の前記ねじに螺合されており、前記軸部材の軸を中心とした回転に伴って該軸部材のねじ上を移動するよう構成されている
こと特徴とする請求項２に記載の水計量装置。
【請求項４】
前記水量検知スイッチと前記放水検知スイッチとの双方がＯＮの間、点灯するよう構成された光源を更に備える
ことを特徴とする請求項１〜３いずれか１項に記載の水計量装置。
【請求項５】
前記貯水部の少なくとも一部が透明に形成され、内部を視認可能に構成されている
ことを特徴とする請求項１〜４いずれか１項に記載の水計量装置。
【発明の詳細な説明】
【技術分野】
【０００１】
本発明は、水を計量することが可能な水計量装置に関するものである。
【背景技術】
【０００２】
従来、トンネル掘削における掘削面並びに宅地造成及び路線工事における法面の安定化や、コンクリート構造物の断面修復等を目的として、モルタルやコンクリート（以下、これらを総称して「セメントコンクリート」という）の吹き付け施工が実施されている（特許文献１等）。例えば、近年の断面修復工法では、図９に示すように、パン型ミキサ１０２にてセメント、骨材及び水を混練してモルタルを調製し、この調製したモルタルをアジテータ付きホッパ１０４を介してスクイズ式ポンプ１０６にて圧送し、ノズル１０８の手前でコンプレッサ１１０からの圧縮空気（及び必要に応じて液体急結剤）を合流させることで、劣化部分を除去した断面にモルタルを吹き付けている。
【０００３】
このようなセメントコンクリートの吹き付け施工において、吹き付けたセメントコンクリートの強度や施工部位に対する付着性等を確保するためには、セメントに混ぜ合せる水の量が重要であるところ、従来の施工現場又は工場では、目盛りを付したバケツ等の容器を用いて水を計量し、パン型ミキサ１０２に投入していた。
【先行技術文献】
【特許文献】
【０００４】
【特許文献１】特開２０１２−２５５３０７号公報
【発明の概要】
【発明が解決しようとする課題】
【０００５】
しかしながら、バケツ等の容器を用いて計量して投入する従来の方法では、作業者の労力が過大であると共に、容器から漏れ出た水によって足元が水浸しになるという問題がある。
【０００６】
そこで、本発明は、水の計量に関する作業者の労力を軽減させることが可能な水計量装置を提供することを目的とする。
【課題を解決するための手段】
【０００７】
上記の目的を達成するため、本発明に係る水計量装置は、水の供給口及び排出口を有し、水を貯留可能に構成された貯水部と、前記貯水部に水を供給する給水手段と、前記貯水部の貯水量が所定の設定量に達したことを検知可能な検知手段と、前記排出口を開閉させる開閉手段とを備え、前記検知手段は、前記貯水部の貯水量が前記設定量に達している状態においてＯＦＦとなり、該貯水量が該設定量に達していない状態においてＯＮとなる水量検知スイッチを有し、前記開閉手段は、前記排出口を開放している状態においてＯＦＦとなり、該排出口が閉塞されている状態においてＯＮとなる放水検知スイッチを有し、前記給水手段は、前記水量検知スイッチと前記放水検知スイッチとの双方がＯＮの間、前記貯水部に対して水を供給するよう構成されていることを特徴とする。
【０００８】
本発明に係る水計量装置において、前記検知手段は、前記貯水部に貯留された水の水位の昇降方向に沿って延びる軸部材と、該軸部材に設けられた浮き部材とを更に備え、前記浮き部材は、前記水位の昇降に伴って、前記軸部材の軸方向に沿って昇降可能に構成されており、前記水量検知スイッチは、前記浮き部材よりも前記軸部材の上端側において、該軸部材の軸方向に沿った位置を調整可能に設けられており、前記水位の上昇に伴う前記浮き部材の上昇により該浮き部材が当接している間、ＯＦＦとなるよう構成されても良い。
【０００９】
この場合において、前記検知手段は、前記軸部材を軸を中心として回転させるハンドル部材を更に備え、前記軸部材は、少なくとも前記水量検知スイッチが設けられる領域にねじが形成されており、前記水量検知スイッチは、前記軸部材の前記ねじに螺合されており、前記軸部材の軸を中心とした回転に伴って該軸部材のねじ上を移動するよう構成されても良い。
【００１０】
また、本発明に係る水計量装置は、前記水量検知スイッチと前記放水検知スイッチとの双方がＯＮの間、点灯するよう構成された光源を更に備えることが好ましい。
【００１１】
さらに、本発明に係る水計量装置は、前記貯水部の少なくとも一部が透明に形成され、内部を視認可能に構成されることが好ましい。
【発明の効果】
【００１２】
本発明によれば、水の計量に関する作業者の労力を軽減させることが可能な水計量装置を提供することができる。
【図面の簡単な説明】
【００１３】
【図１】本発明の第１実施形態に係る水計量装置を概略的に示す斜視図である。
【図２】第１実施形態に係る水計量装置の検知手段を概略的に示す分解斜視図である。
【図３】第１実施形態に係る水計量装置の開閉手段を概略的に示す斜視図である。
【図４】図４（ａ）は、貯水部に対する給水手段からの給水が行われている途中の状態における検知手段近傍の様子を概略的に示す図であり、図４（ｂ）は、同状態における開閉手段近傍の様子を概略的に示す図であり、図４（ｃ）は、同状態における水量検知スイッチ及び放水検知スイッチのＯＮ／ＯＦＦ状態を示す概略回路図である。
【図５】図５（ａ）は、貯水部の貯水量が設定量に達した状態における検知手段近傍の様子を概略的に示す図であり、図５（ｂ）は、同状態における開閉手段近傍の様子を概略的に示す図であり、図５（ｃ）は、同状態における水量検知スイッチ及び放水検知スイッチのＯＮ／ＯＦＦ状態を示す概略回路図である。
【図６】図６（ａ）は、貯水部の排出口からの放水を開始した直後の状態における検知手段近傍の様子を概略的に示す図であり、図６（ｂ）は、同状態における開閉手段近傍の様子を概略的に示す図であり、図６（ｃ）は、同状態における水量検知スイッチ及び放水検知スイッチのＯＮ／ＯＦＦ状態を示す概略回路図である。
【図７】図７（ａ）は、貯水部の排出口からの放水が進行している状態における検知手段近傍の様子を概略的に示す図であり、図７（ｂ）は、同状態における開閉手段近傍の様子を概略的に示す図であり、図７（ｃ）は、同状態における水量検知スイッチ及び放水検知スイッチのＯＮ／ＯＦＦ状態を示す概略回路図である。
【図８】本発明の第２実施形態に係る水計量装置を概略的に示す斜視図である。
【図９】コンクリート構造物の断面修復工法に用いられる従来の施工システムの一例を概略的に示す図である。
【発明を実施するための形態】
【００１４】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１５】
［第１実施形態］
第１実施形態に係る水計量装置１は、図１に示すように、水の供給口１０ａ及び排出口１０ｂを有し、水を貯留可能に構成された貯水部１０と、貯水部１０の貯水量が所定の設定量に達したことを検知可能な検知手段２０と、排出口１０ｂを開閉させる開閉手段３０と、貯水部１０に水を供給する給水手段４０（図４〜７参照）と、給水手段４０が動作している状態において点灯するよう構成されたランプ等の光源５０（図４〜７参照）とを備えている。
【００１６】
貯水部１０は、図１に示すように、一端部に供給口１０ａを有する流入管１２と、流入管１２の他端部に連通するロ字型管１４と、一端部がロ字型管１４に連通し、他端部に排出口１０ｂを有する流出管１６とを備えている。これら流入管１２、ロ字型管１４及び流出管１６は、略全体が透明な部材により形成されており、これにより、内部を視認可能に構成されている。
【００１７】
ロ字型管１４は、図１に示すように、互いに略平行な前辺部１４ａ及び後辺部１４ｂと、前辺部１４ａの一端部から後辺部１４ｂの一端部に亘って延びる第１側辺部１４ｃと、前辺部１４ａの他端部から後辺部１４ｂの他端部に亘って延びる第２側辺部１４ｄとを有している。前辺部１４ａ及び後辺部１４ｂは、それぞれ略Ｔ字状の管部材からなり、第１側辺部１４ｃ及び第２側辺部１４ｄは、それぞれ略直線状の管部材からなる。ロ字型管１４は、前辺部１４ａと第１側辺部１４ｃ及び第２側辺部１４ｄとの間、並びに、後辺部１４ｂと第１側辺部１４ｃ及び第２側辺部１４ｄとの間がそれぞれ略Ｌ字状のジョイント部材１５で連結されることで、平面視で略ロ字状（略環状）の全体形状を有している。
【００１８】
流入管１２は、図１に示すように、略直線状に形成された管部材であり、一端部（供給口１０ａ）がロ字型管１４の前辺部１４ａの上方に位置し、他端部が後辺部１４ｂに接続されるように、ロ字型管１４の前辺部１４ａから後辺部１４ｂに向かう方向かつ下方に向けて傾斜して設けられている。
【００１９】
流出管１６は、図１に示すように、略直線状に形成された管部材であり、ロ字型管１４の前辺部１４ａから水平方向又はやや下方に向けて延出するよう、一端部がロ字型管１４の前辺部１４ａに接続されている。流出管１６の中途部には、鉛直方向上方に向けて延出した管路が設けられており、該管路により、貯水部１０内の貯水量を計測するための液面検知室１７が形成されている。液面検知室１７には、その軸方向（鉛直方向）に沿って計量目盛り（図示せず）が設けられており、該計量目盛りにより、検知手段２０の後述する水量検知スイッチ２５の位置調整作業を補助するよう構成されている。また、流出管１６の他端部には、開閉手段３０が設けられている。
【００２０】
以上の構成を有する貯水部１０は、液面検知室１７まで水が貯留された状態において、使用用途に適した水の設定量と同程度となる貯水容積を有している。また、水計量装置１は、持ち運び可能（携帯可能）な大きさ及び重量となるよう形成されている。
【００２１】
検知手段２０は、図１及び図２に示すように、貯水部１０の液面検知室１７内に設けられている。検知手段２０は、液面検知室１７の上端開口部に載置される蓋部材２１と、蓋部材２１から鉛直方向下方に向けて延出して設けられた軸部材２２と、軸部材２２を軸を中心として回転させるハンドル部材２３と、軸部材２２に設けられた浮き部材２４と、浮き部材２４よりも軸部材２２の上端側に設けられた水量検知スイッチ２５とを備えている。
【００２２】
軸部材２２は、図１及び図２に示すように、貯水部１０に貯留された水の水位の昇降方向、本実施形態では液面検知室１７の延出方向（鉛直方向）に沿って延びるねじ軸部材であり、少なくとも水量検知スイッチ２５が設けられる領域にねじが形成されている。軸部材２２の上端部は、蓋部材２１を貫通し、ハンドル部材２３に連結されている。
【００２３】
浮き部材２４は、水に浮かぶことが可能な部材からなり、軸部材２２の軸方向に沿って自由に移動可能な状態で軸部材２２に取り付けられることで、液面検知室１７内の水位の昇降に伴って、軸部材２２の軸方向に沿って昇降可能に構成されている（図４〜図７参照）。
【００２４】
水量検知スイッチ２５は、図１及び図２に示すように、貯水部１０の貯水量が所定の設定量に達した際に、液面検知室１７内の水位の上昇に伴って上昇した浮き部材２４が当接する位置において、軸部材２２のねじに螺合されている。水量検知スイッチ２５は、ハンドル部材２３によって軸部材２２を回転させることで軸部材２２のねじ上を軸方向に沿って移動可能に構成されており、これにより、本実施形態に係る水計量装置１によって計量する水の設定量の変更に応じて、軸部材２２の軸方向に沿った位置を調整可能に構成されている。
【００２５】
水量検知スイッチ２５は、図４及び図７に示すように、浮き部材２４が接触していない状態、すなわち、貯水部１０の貯水量が設定量に達していない状態においてＯＮとなり、図５及び図６に示すように、浮き部材２４が当接している間、すなわち、貯水部１０の貯水量が設定量に達している状態においてＯＦＦとなるよう構成されている。
【００２６】
開閉手段３０は、図１及び図３に示すように、流出管１６の他端部近傍の管路内に設けられ、管路を閉塞させた状態（閉塞状態）と開放させた状態（開放状態）とを切り替え可能に構成された開閉弁（図示せず）と、開閉弁の閉塞状態と開放状態とを切り替えるための操作レバー３２と、操作レバー３２とワイヤ３６を介して接続された放水検知スイッチ３４とを備えている。
【００２７】
操作レバー３２は、図１及び図３に示すように、Ｉ字状のハンドル部材からなり、流出管１６と直交する軸を中心として回転可能に構成されている。また、操作レバー３２は、ワイヤ３６を介して放水検知スイッチ３４と接続されており、操作レバー３２を回転させることで、放水検知スイッチ３４のＯＮ状態とＯＦＦ状態とを切り替えるよう構成されている。
【００２８】
放水検知スイッチ３４は、図４及び図５に示すように、操作レバー３２により開閉弁が閉塞状態とされ、放水が規制されている状態、すなわち、排出口１０ｂが閉塞されている状態においてＯＮとなり、図６及び図７に示すように、操作レバー３２により開閉弁が開放状態とされ、放水が実行されている状態、すなわち、排出口１０ｂを開放している状態においてＯＦＦとなるよう構成されている。
【００２９】
水量検知スイッチ２５及び放水検知スイッチ３４は、図４（ｃ）〜図７（ｃ）に示すように、電気的に直列となるよう接続されており、少なくとも一方がＯＦＦとなっている状態において給水手段４０及び光源５０に対する電源６０からの電力供給を遮断し、双方がＯＮとなっている状態において給水手段４０及び光源５０に対する電源６０からの電力供給を許容するよう構成されている。なお、図４（ｃ）〜図７（ｃ）に示す回路では、説明を容易にするために、電源６０、水量検知スイッチ２５、放水検知スイッチ３４、給水手段４０及び光源５０のみを図示し、説明に不要な要素については図示及び説明を省略する。また、本実施形態に係る水計量装置１の回路構成は、図４（ｃ）〜図７（ｃ）に示す回路構成に限定されず、種々の回路構成を採用することが可能である。
【００３０】
給水手段４０は、例えば、水源（図示せず）の水を貯水部１０に向けて圧送するポンプや配管等の構成部材からなり、図４（ｃ）〜図７（ｃ）に示すように、水量検知スイッチ２５及び放水検知スイッチ３４の双方がＯＮとなっている状態においてのみ、貯水部１０に対して水を供給するよう構成されている。
【００３１】
光源５０は、ランプ等の種々の光源からなり、図４（ｃ）〜図７（ｃ）に示すように、水量検知スイッチ２５及び放水検知スイッチ３４の双方がＯＮとなっている状態においてのみ点灯するよう構成されている。
【００３２】
次に、本実施形態に係る水計量装置１の動作について、図４〜図７を用いて説明する。
【００３３】
まず、本実施形態に係る水計量装置１では、図４（ａ）〜図４（ｃ）に示すように、貯水部１０の貯水量が設定量に達しておらず、浮き部材２４が水量検知スイッチ２５に接触していない状態（水量検知スイッチ２５がＯＮの状態）で、かつ、開閉手段３０によって排出口１０ｂが閉塞されている状態（放水検知スイッチ３４がＯＮの状態）において、電源６０からの電力が給水手段４０に供給され、給水手段４０により水源からの水が貯水部１０に供給される。
【００３４】
その後、図５（ａ）に示すように、貯水部１０の貯水量が設定量に達し、浮き部材２４が水量検知スイッチ２５に接触すると、図５（ｃ）に示すように、水量検知スイッチ２５がＯＦＦとなり、給水手段４０に対する電源６０からの電力供給が遮断される。これにより、貯水部１０に対する給水が停止され、貯水部１０に予め定められた設定量と同様の水が貯留される。すなわち、本実施形態に係る水計量装置１において、予め定められた設定量の水が計量される。
【００３５】
この状態において、図６（ｂ）に示すように、操作レバー３２を操作して排出口１０ｂを開放させることで、計量された水をパン型ミキサ等に対して放水する。この操作レバー３２の操作により、図６（ｃ）に示すように、水量検知スイッチ２５に加えて放水検知スイッチ３４もＯＦＦとなる。なお、図６（ａ）は、排出口１０ｂからの放水を開始した直後、すなわち、貯水部１０内の水位が下がる前の状態を示している。
【００３６】
排出口１０ｂからの放水が進行すると、図７（ａ）に示すように、貯水部１０内の水位の低下に伴い、浮き部材２４が水量検知スイッチ２５から離間し、これにより、図７（ｃ）に示すように、水量検知スイッチ２５がＯＮとなる。しかし、放水検知スイッチ３４がＯＦＦのままであるため、給水手段４０に対する電源６０からの電力供給が遮断された状態が維持され、貯水部１０に対する給水は依然として停止されている。
【００３７】
そして、貯水部１０内の水が全て放水された後に、操作レバー３２を操作して排出口１０ｂを閉塞させることで、水量検知スイッチ２５に加えて放水検知スイッチ３４もＯＮとなる。これにより、電源６０からの電力が給水手段４０に供給され、次のサイクルの水計量が開始される（図４参照）。
【００３８】
本実施形態に係る水計量装置１は、以上の工程を繰り返すことで、所望量の水の計量を繰り返し実行することができる。
【００３９】
以上説明したとおり、本実施形態に係る水計量装置１は、水の供給口１０ａ及び排出口１０ｂを有し、水を貯留可能に構成された貯水部１０と、貯水部１０に水を供給する給水手段４０と、貯水部１０の貯水量が所定の設定量に達したことを検知可能な検知手段２０と、排出口１０ｂを開閉させる開閉手段３０とを備え、検知手段２０が、貯水部１０の貯水量が設定量に達している状態においてＯＦＦとなり、貯水量が設定量に達していない状態においてＯＮとなる水量検知スイッチ２５を有し、開閉手段３０が、排出口１０ｂを開放している状態においてＯＦＦとなり、排出口１０ｂが閉塞されている状態においてＯＮとなる放水検知スイッチ３４を有し、給水手段４０が、水量検知スイッチ２５と放水検知スイッチ３４との双方がＯＮの間、貯水部１０に対して水を供給するよう構成されている。
【００４０】
このように構成された水計量装置１によれば、開閉手段３０の開閉操作のみで、計量と放水を実現することが可能となるため、水の計量に関する作業者の労力を飛躍的に軽減させることが可能となる。また、本実施形態に係る水計量装置１は、簡素な構成で実現することができ、制御部等の複雑な構成が不要であるため、製造コストを安価に抑えることが可能となる。
【００４１】
また、本実施形態に係る水計量装置１は、水量検知スイッチ２５と放水検知スイッチ３４との双方がＯＮの間、点灯するよう構成された光源５０を備えることにより、貯水部１０に対して水が供給されている途中の状態と、貯水部１０に対する水の供給が完了した状態（水の計量が完了した状態）とを視覚的に判別することが可能となる。
【００４２】
さらに、本実施形態に係る水計量装置１は、貯水部１０の少なくとも一部が透明に形成され、内部を視認可能に構成されることにより、貯水部１０に対して水が供給されている途中の状態と、貯水部１０に対する水の供給が完了した状態（水の計量が完了した状態）とを視覚的に判別することが可能となると共に、貯水部１０からの放水が完了したか否かを視覚的に確認することが可能となる。
【００４３】
なお、本実施形態に係る水計量装置１は、セメントコンクリートを調製するための水の計量に好適に用いることが可能である。ただし、本実施形態に係る水計量装置１の用途はこれに限定されず、水の計量に関するものであれば、種々の用途に用いることが可能である。
【００４４】
［第２実施形態］
次に、第２実施形態に係る水計量装置１´について、図８を用いて説明する。なお、第２実施形態に係る水計量装置１´において、第１実施形態に係る水計量装置１と異なる構成は、貯水部１０´のみであるため、貯水部１０´の構成のみを説明し、その他の構成については同一符号を付することでその説明を省略する。
【００４５】
第２実施形態に係る貯水部１０´は、図８に示すように、一端部に供給口１０ａ´を有する流入管１２´と、流入管１２´の他端部に連通するロ字型管１４´と、一端部がロ字型管１４´に連通し、他端部に排出口１０ｂ´を有する流出管１６´とを備えている。これら流入管１２´、ロ字型管１４´及び流出管１６´は、略全体が透明な部材により形成されており、これにより、内部を視認可能に構成されている。
【００４６】
ロ字型管１４´は、図８に示すように、互いに略平行な前辺部１４ａ´及び後辺部１４ｂ´と、前辺部１４ａ´の一端部から後辺部１４ｂ´の一端部に亘って延びる第１側辺部１４ｃ´と、前辺部１４ａ´の他端部から後辺部１４ｂ´の他端部に亘って延びる第２側辺部１４ｄ´とを有している。後辺部１４ｂ´は、略Ｔ字状の管部材からなり、前辺部１４ａ´、第１側辺部１４ｃ´及び第２側辺部１４ｄ´は、それぞれ略直線状の管部材からなる。ロ字型管１４´は、前辺部１４ａ´と第１側辺部１４ｃ´及び第２側辺部１４ｄ´との間、並びに、後辺部１４ｂ´と第１側辺部１４ｃ´及び第２側辺部１４ｄ´との間がそれぞれ略Ｌ字状のジョイント部材１５´で連結されることで、平面視で略ロ字状（略環状）の全体形状を有している。
【００４７】
流入管１２´は、図８に示すように、略直線状に形成された管部材であり、ロ字型管１４´の前辺部１４ａ´から上方に向けて垂直に立設されるよう、下端部がロ字型管１４´の前辺部１４ａ´に連通接続され、上端部が蓋部材１１´により閉塞されている。蓋部材１１´には、貯水部１０´内に水を流入させるための供給口１０ａ´が設けられており、かつ、貯水部１０´内の空気を逃がすための排気孔１１ａ´が複数形成されている。
【００４８】
流出管１６´は、図８に示すように、略直線状の第１流出管１６ａ´及び第２流出管１６ｂ´が軸方向に接続されることで全体として略直線状に形成された管部材である。
【００４９】
第１流出管１６ａ´は、ロ字型管１４´の後辺部１４ｂ´から水平方向又はやや下方に向けて延出するよう、一端部がロ字型管１４´の後辺部１４ｂ´に接続されている。第１流出管１６ａ´の中途部、具体的には前辺部１４ａ´と後辺部１４ｂ´との間の領域に位置する部位には、鉛直方向上方に向けて延出した管路が設けられており、該管路により、貯水部１０´内の貯水量を計測するための液面検知室１７´が形成されている。
【００５０】
第２流出管１６ｂ´は、第１流出管１６ａ´と同軸方向に延在するよう、一端部が第１流出管１６ａ´の他端部に接続されている。第１流出管１６ａ´と第２流出管１６ｂ´との連結部分はねじ構造等の分離可能な構造を有しており、これにより、第２流出管１６ｂ´は、第１流出管１６ａ´に対して着脱可能に構成されている。第２流出管１６ｂ´の他端部は、排出口１０ｂ´を形成しており、該排出口１０ｂ´の近傍に開閉手段３０が設けられている。
【００５１】
以上の構成を有する貯水部１０´は、第１実施形態に係る貯水部１０と同様に、液面検知室１７´まで水が貯留された状態において、使用用途に適した水の設定量と同程度となる貯水容積を有している。
【００５２】
以上のように構成された第２実施形態に係る水計量装置１´においても、第１実施形態に係る水計量装置１と同様の利点を有している。
【００５３】
以上、本発明の好適な実施形態について説明したが、本発明の技術的範囲は、上述した実施形態に記載の範囲には限定されない。上記各実施形態には、多様な変更又は改良を加えることが可能である。
【００５４】
例えば、上述した実施形態では、給水手段４０が動作している状態において点灯するよう構成されたランプ等の光源５０を備えるものとして説明したが、これに限定されず、光源５０が設けられない構成としても良い。また、光源５０に代えて又はこれと共に、音によって給水手段４０の動作開始、動作中及び／又は動作完了を報知する構成としても良い。
【００５５】
上述した実施形態では、貯水部１０の略全体が透明な部材により形成されるものとして説明したが、これに限定されず、一部分のみが透明に形成される構成や一部に窓部が形成される構成により、内部を視認可能としても良い。また、内部を視認不能な構成としても良い。
【００５６】
上述した実施形態では、貯水部１０に液面検知室１７が設けられ、該液面検知室１７内に検知手段２０が設けられる構成であるものとして説明したが、これに限定されず、液面検知室１７が設けられない構成としても良い。
【００５７】
上述した実施形態では、検知手段２０が、水位により貯水部１０内の貯水量を検知するものであるとして説明したが、これに限定されず、例えば水の重量により貯水部１０内の貯水量を検知する構成等の種々の構成を採用することも可能である。
【００５８】
上述した実施形態では、水量検知スイッチ２５が浮き部材２４の接触によりＯＦＦとなる接触式のスイッチであるものとして説明したが、これに限定されず、例えば、浮き部材２４の近接を検知することでＯＦＦとなる非接触式の近接スイッチ等の種々のスイッチを採用することが可能である。また、上述した検知手段２０に代えて、液面を直接検知可能な液面センサ等を検知手段として採用することも可能である。
【００５９】
上述した実施形態では、操作レバー３２の回転動作がワイヤ３６によって放水検知スイッチ３４に伝達されることで、放水検知スイッチ３４のＯＮとＯＦＦが切り替えられる構成を例に挙げて説明したが、これに限定されず、種々のスイッチやセンサを採用することが可能である。
【００６０】
上記のような変形例が本発明の範囲に含まれることは、特許請求の範囲の記載から明らかである。
【符号の説明】
【００６１】
１，１´  水計量装置、１０，１０´  貯水部、１０ａ，１０ａ´  供給口、１０ｂ，１０ｂ´  排出口、２０  検知手段、２５  水量検知スイッチ、３０  開閉手段、３４  放水検知スイッチ、４０  給水手段
【図１】
2019116801.tif 000003
【図２】
2019116801.tif 000004
【図３】
2019116801.tif 000005
【図４】
2019116801.tif 000006
【図５】
2019116801.tif 000007
【図６】
2019116801.tif 000008
【図７】
2019116801.tif 000009
【図８】
2019116801.tif 000010
【図９】
2019116801.tif 000011